(57)【要約】本発明によれば、硬い性質を有するミッドソールを使って着用または保管状態で外部からの物理的な圧力や衝撃または長期間の着用による変形が防止されるが、使用者の足前底部分と密着されるミッドソールの表面にクッションを装着してオープントゥ形靴を含むハイヒールのようなかかとが高い靴を着して長い時間歩いても優秀な着心地が維持されることによって足の疲れ感が増加しないで足の痛症や変形が誘発されないことは勿論、歩行中足前底部分で滑るか、または足きびす部分が易しくはげる現象が防止されることで靴と使用者足との間の摩擦を減少させて使用者の足きびすに水泡などの傷発生を抑制して、使用者の足裏にたこ、魚の目または角質などの発生を遮断し、歩行中騷音の発生を防止するだけでなく、背を高くする保形物と同じ高さのクッションが外部で露出しなくて靴の外的な美麗さが誘発されて単身の使用者にとって背が高くなる靴の着用に自信感を導き出すことができる。
2018519857.tif 000002
【特許請求の範囲】
【請求項１】
着用者の足指部分が開放されるオープントゥ形靴の製造方法において、靴形状を有する第１ラストの底面に背を高くする用度の保形物を接着して第２ラストを製作するラスト製作段階と、
前記第２ラストの底面と対応されるようにミッドソールを製作するミッドソール製作段階と、
足前底部分に該当する前記ミッドソールの表面にクッションを接着するクッション接着段階と、
前記クッションが接着されたミッドソールを原緞で囲むミッドソール及びクッションカバーリング段階と、
原緞で囲まれた前記ミッドソールを、靴形状を有する第１ラストの底面に位置させるミッドソール位置段階と、
前記第１ラスト及びミッドソールを甲皮で囲んで靴の外形をなすようにし、前記ミッドソールの底面に甲皮の一端部を接着する甲皮接着段階と、
前記ミッドソールの底面及び足きびす部分に靴の底及びかかとを接着する靴の底及びかかと接着段階と、
前記ミッドソールから第１ラストをとり除くラスト除去段階と、
前記ミッドソールの表面にインソールを接着するインソール接着段階と、を含むオープントゥ形靴製造方法。
【請求項２】
前記ラスト製作段階は、前記第１ラストの足前底部分に該当する底面に背を高くする用度の保形物を接着した後、前記背を高くする用度の保形物が接着された第１ラストと等しい形状で第２ラストを加工製作することを特徴とする請求項１に記載のオープントゥ形靴製造方法。
【請求項３】
前記背を高くする用度の保形物は、前記クッションと等しい大きさと形状でなされたことを特徴とする請求項１に記載のオープントゥ形靴製造方法。
【請求項４】
前記クッションはウレタンまたはラテックス材質でなされたことを特徴とする請求項１に記載のオープントゥ形靴製造方法。
【発明の詳細な説明】
【技術分野】
【０００１】
本発明は、着用者の足指部分が開放されるオープントゥ形靴を製造する方法に関し、より詳細には、靴の足前底部分に軟質のクッションを装着して優秀な着心地が維持されるようにするオープントゥ形靴製造方法に関するものである。
【背景技術】
【０００２】
一般に、靴は天然または人造皮でなされた外被と内皮を仕立てして甲皮を製作し、これとは別に靴の保形物であるト―ボックス(toe box)、カウンター(counter)、インソール、ミッドソール、靴の底及びかかとをそれぞれ区分して製作する。
【０００３】
このような状態で靴形状を有する?ラスト(last)を使ってミッドソールを重ねて当てて固定した後、甲皮、ト―ボックス、カウンター、靴の底、かかと及びインソールに対する接着及び固定を遂行するようになるものとして靴が完成されるものである。
【０００４】
これと係わる従来技術として特許文献１の大韓民国登録特許公報第１０-１２０７９８２号(２０１２.１２.０４．公開)には製造工程が単純で足指圧が可能な靴及びその製造方法が開示されている。
【０００５】
しかし、特許文献１のような従来の靴は着用または保管状態で外部からの物理的な圧力や衝撃または長期間の着用による変形を防止するために硬い性質を有するミッドソールを使用するようになるが、着用中ミッドソールの硬い性質によって靴の形態がよく維持されることはできるが、長い間の歩行時足裏に圧力や衝撃が繰り返し的に作用する場合には使用者の足裏と密着されるミッドソールが硬い性質を有するようになってむしろ足の疲れも増加はもちろん足の痛症や変形まで誘発するようになる問題があった。
【０００６】
また、従来の靴に使われたもののような硬い性質を有するミッドソールをオープントゥ(toe-open)形靴を含むハイヒールなどのかかとが高い靴の製造に使用する場合、使用者が靴を履くようになれば、自然に足指部分に荷重が集中されるようになるが、この時使用者の足裏と密着されるミッドソールが硬い性質を有するようになることで、歩行中足前底部分で滑るか、または足きびす部分が易しくはげる現象が発生するようになって、これによる靴と使用者足の間のひんぱんな摩擦によって使用者の足きびすに水泡などの傷を誘発するようになることはもちろん使用者の足裏にたこ、魚の目または角質などを発生させるようになって、ひどい場合足首やしつかんせつまたは腰に異常をもたらすようになって、歩行中騷音が発生されて不便な問題があった。
【発明の概要】
【発明が解決しようとする課題】
【０００７】
本発明は、上述した問題をすべて解決するために案出されたものであり、着用または保管状態で外部からの物理的な圧力や衝撃または長期間の着用による変形を防止するようにするが、オープントゥ形靴を含むハイヒールのようなかかとが高い靴を着して長い間歩いても優秀な着心地が維持されるようにして、歩行中足前底部分に滑るか、または足きびす部分が易しくはげる現象が防止されるようにするオープントゥ形靴製造方法の提供にその目的がある。
【課題を解決するための手段】
【０００８】
前記課題を解決するためで本発明は、着用者の足指部分が開放されるオープントゥ形靴の製造方法において、靴形状を有する第１ラストの底面に背を高くする用度の保形物を接着して第２ラストを製作するラスト製作段階と、前記第２ラストの底面と対応されるようにミッドソールを製作するミッドソール製作段階と、足前底部分に該当する前記ミッドソールの表面にクッションを接着するクッション接着段階と、前記クッションが接着されたミッドソールを原緞で囲むミッドソール及びクッションカバーリング段階と、原緞で囲まれた前記ミッドソールを、靴形状を有する第１ラストの底面に位置させるミッドソール位置段階と、前記第１ラスト及びミッドソールを甲皮で囲んで靴の外形をなすようにして、前記ミッドソールの底面に甲皮の一端部を接着する甲皮接着段階と、前記ミッドソールの底面及び足きびす部分に靴の底及びかかとを接着する靴の底及びかかと接着段階と、前記ミッドソールから第１ラストをとり除くラスト除去段階と、及び前記ミッドソールの表面にインソールを接着するインソール接着段階と、を含むことを特徴とするオープントゥ形靴製造方法を提供したことが特徴である。
【０００９】
ここで、前記ラスト製作段階は、前記第１ラストの足前底部分に該当する底面に背を高くする用度の保形物を接着した後、前記背を高くする用度の保形物が接着された第１ラストと等しい形状で第２ラストを加工製作することにもその特徴がある。
【００１０】
また、前記背を高くする用度の保形物は、前記クッションと等しい大きさと形状でなされたことにもその特徴がある。
【００１１】
そして、前記クッションはウレタンまたはラテックス材質でなされたことにもその特徴がある。
【発明の効果】
【００１２】
本発明によれば、硬い性質を有するミッドソールを使って着用または保管状態で外部からの物理的な圧力や衝撃または長期間の着用による変形が防止されるが、使用者の足前底部分と密着されるミッドソールの表面にクッションを装着してオープントゥ形靴を含むハイヒールのようなかかとが高い靴を着して長い間歩いても優秀な着心地が維持されることによって、足の疲れ感が増加しないで足の痛症や変形が誘発されないことは勿論、歩行中足前底部分で滑るか、または足きびす部分が易しくはげる現象が防止されることで靴と使用者足の間の摩擦を減少させて使用者の足きびすに水泡などの傷発生を抑制して、使用者の足裏にたこ、魚の目または角質などの発生を遮断して、歩行中騷音の発生を防止するだけでなく、背を高くする保形物と同じ高さのクッションが外部に露出しなくて靴の外的な美麗さが誘発され、単身の使用者にとって背が高くなる靴の着用に自信感を導き出すことができる効果がある。
【図面の簡単な説明】
【００１３】
【図１】図１は本発明によるオープントゥ形靴製造方法のフローチャートである。
【図２】図２は本発明の実施例によるラストの製作過程を示した図面である。
【図３−５】図３乃至図５は本発明の実施例によるオープントゥ形靴の製作過程を示した図面である。
【発明を実施するための形態】
【００１４】
以下、図面を参照して実施例を中心に本発明の構成に対して詳しく説明する。
【００１５】
図１に示されたように、本発明は着用者の足指部分が開放されるオープントゥ形靴１を製造する方法に関するものであり、ラスト製作段階(Ｓ１０)、ミッドソール製作段階(Ｓ２０)、クッション接着段階(Ｓ３０)、ミッドソール及びクッションカバーリング段階(Ｓ４０)、ミッドソール位置段階(Ｓ５０)、甲皮接着段階(Ｓ６０)、靴の底及びかかと接着段階(Ｓ７０)、ラスト除去段階(Ｓ８０)、インソール接着段階(Ｓ９０)を遂行して、以下具体的な工程に対して詳しく説明する。
【００１６】
[ラスト製作段階(Ｓ１０)]
前記ラスト製作段階(Ｓ１０)は、図２(ａ)に示されたように、靴形状を有する第１ラスト１０の底面に背を高くする用度の保形物１１を接着して、図２(ｂ)のような第２ラスト２０を製作する工程である。
【００１７】
ここで、前記第１ラスト１０は靴を製作する時に使用する模型で、主に木で作った模型が使われて木型(wooden pattern)とも言う。
【００１８】
併せて、前記第２ラスト２０は靴形状を有する第１ラスト１０の足前底部分に該当する底面にオープントゥ形靴を含むハイヒールなどの背を高くする用度の靴製造に使われる背を高くする用度の保形物１１を接着した後、前記背を高くする用度の保形物１１が接着された第１ラスト１０と等しい形状で加工製作されたものである。
【００１９】
この時、前記背を高くする用度の保形物１１は、前記第１ラスト１０と等しく木で製作されるか、または金属または合成樹脂などの材質で製作されることができるし、多様な高さを有する複数の背を高くする用度の保形物１１を具備して購買者の身体サイズや選好度に合うように多様な高さを有するオープントゥ形靴１をオーダーメード型で製作できるようにすることが望ましい。
【００２０】
そして、前記背を高くする用度の保形物１１は、後述するクッション４０と等しい大きさと形状を有するように製作されることがさらに望ましいが、これは、本発明によるオープントゥ形靴１製造方法で前記第１ラスト１０の底面に後述するクッション４０が接着されたミッドソール３０を位置させた後、前記第１ラスト１０をとり除く工程らを通じてオープントゥ形靴１を製造することを考慮するためである。
【００２１】
すなわち、前記背を高くする用度の保形物１１が後述するクッション４０と等しい大きさと形状を有するようになることで、前記第１ラスト１０をとり除いて後述するクッション４０が接着されたミッドソール３０を基盤にして継続的なオープントゥ形靴１製造工程を遂行するようになっても最初前記第１ラスト１０を通じて基礎になったオープントゥ形靴１の形態は堅固に維持されることができるものであり、これを通じて、製作されたオープントゥ形靴１は着用または保管状態で外部からの物理的な圧力や衝撃または長期間の着用による変形が防止されることができるものである。
【００２２】
[ミッドソール製作段階(Ｓ２０)]
前記ミッドソール製作段階(Ｓ２０)は、前記ラスト製作段階(Ｓ１０)を通じて製作された前記第２ラスト２０底面の屈曲などを含む形状と対応されるようにミッドソール３０を製作する工程である。
【００２３】
この時、前記ミッドソール３０は後述するクッション４０、甲皮５０、インソール６０、靴の底７０及びかかと８０などのオープントゥ形靴１製造に使われるすべての保形物と連結結合されることでオープントゥ形靴１の胴体役割をするだけでなく、着用者の足を直接支持する機能をするようになる。
【００２４】
[クッション接着段階(Ｓ３０)]
前記クッション接着段階(Ｓ３０)は、前記ミッドソール製作段階(Ｓ２０)が完了すれば、図３(ａ)に示されたように、足前底部分に該当する前記ミッドソール３０の表面にクッション４０を接着する工程である。
【００２５】
ここで、前記クッション４０は軟質のウレタンまたはラテックスなどの天然または合成ゴム材質でなされて優秀な弾性復元力を有するようにして、前記背を高くする用度の保形物１１と等しい大きさと形状を有するように製作されることが望ましくて、多様な高さを有する複数のクッション４０を具備して購買者の身体サイズや選好度に合うように多様な高さを有するオープントゥ形靴１をオーダーメード型で製作できるようにすることがさらに望ましい。
【００２６】
これによって、着用者の足前底部分と密着される前記ミッドソール３０の表面にウレタンまたはラテックスなどの優秀な弾性復元力を有する材質でなされた前記クッション４０が装着されることで、着用中自然に足指部分に荷重が集中されるかかとが高い靴を着して長い間歩行中足裏に圧力や衝撃が繰り返し的に作用する場合にも荷重が集中された使用者の足前底が弾性復元力を有する前記クッション４０に密着されて集中された荷重を緩衝させて足の疲れ感が増加しなくなることは勿論、着用中使用者の足底とオープントゥ形靴１が一体化されて歩行時着用者の足前底部分と靴の足前底部分が一緒に折れるようになることで優秀な着心地が維持されるによって足の痛症や変形が誘発されないものである。
【００２７】
さらに、前記背を高くする用度の保形物１１と等しい大きさと形状でなされた前記クッション４０が前記ミッドソール３０の表面に接着されることで、オープントゥ形靴１を含むハイヒールなどのような従来の背を高くする用度の靴で背を高くする用度の保形物が硬い性質を有するミッドソールの足前底に該当する底面に接着製造される点を補うことができるようになることによって、歩行中足前底部分に滑るか、または足きびす部分が易しくはげる現象が防止されて靴と使用者足との間の摩擦を減少させて使用者の足きびすに水泡などの傷発生を抑制し、使用者の足裏にたこ、魚の目または角質などの発生を遮断し、歩行中騷音の発生を防止することができるものである。
【００２８】
[ミッドソール及びクッションカバーリング段階(Ｓ４０)]
前記ミッドソール及びクッションカバーリング段階(Ｓ４０)は、前記クッション接着段階(Ｓ３０)が完了すれば、図３(ｂ)及び図３(ｃ)に示されたように、前記クッション４０が接着されたミッドソール３０を原緞(Ｆ)で囲んで前記ミッドソール３０及びクッション４０を一緒にカバーリングする工程である。
【００２９】
ここで、前記原緞(Ｆ)は後述する甲皮５０と等しい色相と材質の皮であるか、または天然皮または合成樹脂などの材質でなされることができるし、多様な色相を有した原緞(Ｆ)を選択的に使って前記ミッドソール３０及びクッション４０をカバーリングすることで、オープントゥ形靴１のデザイン的要素としても作用されることができる。
【００３０】
そして、前記原緞(Ｆ)のカバーリングを通じて一定高さを有する前記クッション４０が外部に露出しなくなって、製作されたオープントゥ形靴１の外的な美麗さが誘発されるようにして、背を高くする用度としても適用される前記クッション４０を外部で背を高くする用度の保形物で認識することができなくなることで、単身の着用者にとって背が高くなる靴の着用で自信感を導き出すことができるようにすることが望ましい。
【００３１】
[ミッドソール位置段階(Ｓ５０)]
前記ミッドソール位置段階(Ｓ５０)は、図４に示されたように、前記ミッドソール及びクッションカバーリング段階(Ｓ４０)を通じて前記原緞(Ｆ)で囲まれた前記ミッドソール３０を、靴形状を有する前記第１ラスト１０の底面に位置させる工程である。
【００３２】
[甲皮接着段階(Ｓ６０)]
前記甲皮接着段階(Ｓ６０)は、前記ミッドソール位置段階(Ｓ５０)が完了すれば、前記第１ラスト１０及びミッドソール３０を甲皮５０で囲んでオープントゥ形靴１の外形をなすようにして、前記ミッドソール３０の底面に前記甲皮５０の一端部を接着する工程である。
【００３３】
ここで、前記甲皮５０は通常的に靴の表面を覆っている皮であるが、靴の上部分で足元を囲んで保護してくれて、靴の外観デ−ザインと形態を維持してくれる機能をする。
【００３４】
[靴の底及びかかと接着段階(Ｓ７０)]
前記靴の底及びかかと接着段階(Ｓ７０)は、前記甲皮接着段階(Ｓ６０)が完了すれば、前記ミッドソール３０の底面及び足きびす部分に靴の底７０及びかかと８０を接着する工程である。
【００３５】
ここで、前記靴の底７０は地面と接する靴の底部分で着用者の足底を保護するだけでなく、足全体に加えられる衝撃を緩和させる役割をして、前記かかと８０は前記ミッドソール３０の足きびす部分底面に直接接着されるか、または前記ミッドソール３０の底面に接着された前記靴の底７０の足きびす部分底面に接着されることが望ましくて、多様な高さと形状を有する複数のかかと８０を具備して購買者の身体サイズや選好度に合わせてオープントゥ形靴１をオーダーメード型で製作するようにすることがさらに望ましい。
【００３６】
[ラスト除去段階(Ｓ８０)]
前記ラスト除去段階(Ｓ８０)は、前記靴の底及びかかと接着段階(Ｓ７０)が完了すれば、オープントゥ形靴１形態の基盤になった前記第１ラスト１０を前記ミッドソール３０の表面からとり除く工程である。
【００３７】
[インソール接着段階(Ｓ９０)]
前記インソール接着段階(Ｓ９０)は、図５に示されたように、前記ラスト除去段階(Ｓ８０)が完了すれば、前記ミッドソール３０の表面にインソール６０を接着する工程である。
【００３８】
ここで、前記インソール６０は硬い材質でなされた前記ミッドソール３０から着用者の足裏を保護することはもちろん、前記インソール６０には靴の商標またはロゴなどの広告文具が表示されて広告媒体及び靴のデザイン的要素としても作用される。
【００３９】
これで、本発明によるオープントゥ形靴製造方法を通じてオープントゥ形靴１を製造することができるようになるものであり、本発明によるオープントゥ形靴製造方法で製造されたオープントゥ形靴１は、硬い性質を有するミッドソールを使って着用または保管状態で外部からの物理的な圧力や衝撃または長期間の着用による変形が防止されるが、使用者の足前底部分と密着されるミッドソールの表面にクッションを装着してオープントゥ形靴を含むハイヒールのようなかかとが高い靴を着して長い間歩いても優秀な着心地が維持されることによって足の疲れ感が増加しないで足の痛症や変形が誘発されないことは勿論、歩行中足前底部分で滑るか、または足きびす部分が易しくはげる現象が防止されることで靴と使用者足との間の摩擦を減少させて使用者の足きびすに水泡などの傷発生を抑制して、使用者の足裏にたこ、魚の目または角質などの発生を遮断し、歩行中騷音の発生を防止するだけでなく、背を高くする保形物と同じ高さのクッションが外部に露出しなくて靴の外的な美麗さが誘発されて単身の使用者にとって背が高くなる靴の着用に自信感を導き出すことができるものである。
【００４０】
本発明で前記実施形態は一つの例示として、本発明がこれに限定されるものではない。本発明の特許請求範囲に記載された技術的思想と実質的に等しい構成を有して等しい作用効果をなすことはどのようなものでも本発明の技術的範囲に含まれる。
【産業上の利用可能性】
【００４１】
本発明によるオープントゥ形靴製造方法は、靴の足前底部分に軟質のクッションを装着して優秀な着心地が維持されることができるようにするし、歩行中滑るか、または靴が易しくはげることを防止することができるので産業上利用可能性がある。
【図１】
2018519857.tif 000003
【図２】
2018519857.tif 000004
【図３】
2018519857.tif 000005
【図４】
2018519857.tif 000006
【図５】
2018519857.tif 000007
【国際調査報告】
2018519857.tif 000008
2018519857.tif 000009
2018519857.tif 000010
2018519857.tif 000011